(57)【要約】【課題】ベルト伝動装置の幅寸法、乃至は、原動機の側面からの張出寸法を小さくすることができる振動締固め機用カバー付きベルト伝動装置を提供する。【解決手段】原動機３の出力軸３１と、原動機側プーリ１１と、起振体４の入力軸４１と、起振体側プーリ１２と、Ｖベルト１３と、これらを覆う外側カバー１４ｂ及び内側ベース１４ａからなるベルトカバー１４とによって構成され、内側ベース１４ａが、原動機３の側面との間に間隔を開けずに直接取り付けられ、出力軸３１としてテーパー軸が採用され、原動機側プーリ１１の挿通孔の内周面においても、これに対応したテーパーが形成され、出力軸３１の先端側に取り付けたボルトを締め付けることにより、出力軸３１に対して原動機側プーリ１１をテーパー結合できるように構成した。【選択図】図１
0003216134.tif 000002
【実用新案登録請求の範囲】
【請求項１】
原動機の出力軸と、これに装着される原動機側プーリと、起振体の入力軸と、これに装着される起振体側プーリと、原動機側プーリ及び起振体側プーリの間に掛け渡されるベルトと、これらを覆う外側カバー及び内側ベースからなるベルトカバーとによって構成され、
内側ベースが、原動機の側面との間に間隔を開けずに直接取り付けられ、
原動機の出力軸として、先端側へ向かって直径が次第に小さくなるテーパー軸が採用され、原動機側プーリの挿通孔の内周面においても、これに対応したテーパーが形成され、出力軸の先端側に取り付けたボルトを締め付けることにより、出力軸に対して原動機側プーリをテーパー結合できるように構成されていることを特徴とする振動締固め機用カバー付きベルト伝動装置。
【請求項２】
起振体の入力軸として、先端側へ向かって直径が次第に小さくなるテーパー軸が採用され、起振体側プーリの挿通孔の内周面においても、これに対応したテーパーが形成され、入力軸の先端側に取り付けたボルトを締め付けることにより、入力軸に対して起振体側プーリをテーパー結合できるように構成されていることを特徴とする、請求項１に記載の振動締固め機用カバー付きベルト伝動装置。
【考案の詳細な説明】
【技術分野】
【０００１】
本考案は、路面や地盤の締め固めに使用される振動締固め機において、原動機の出力軸と起振体の入力軸とを連結して回転駆動力を伝達する振動締固め機用ベルト伝動装置に関する。
【背景技術】
【０００２】
路面や地盤の締め固めに使用されるプレートコンパクター（振動締固め機）は、基本的には、振動を発生させるための起振体と、この起振体に回転駆動力を供給する原動機（エンジン等）とが、プレート（転圧板）の上に搭載され、原動機の出力軸と起振体の入力軸とがベルト伝動装置によって連結され、回転駆動力が伝達されるように構成されている。
【０００３】
ベルト伝動装置は、原動機の出力軸及び起振体の入力軸にそれぞれ装着されたプーリと、これらの間に掛け渡されたＶベルトとによって構成され、作業者の安全性、及び、損傷防止等の観点から、プーリ及びＶベルトがベルトカバーによって覆われる構造となっている。
【先行技術文献】
【特許文献】
【０００４】
【特許文献１】特開平１０−２６６１１６号公報
【特許文献２】特開平１０−１４０５１８号公報
【考案の概要】
【考案が解決しようとする課題】
【０００５】
ベルト伝動装置は、通常、原動機及び起振体の側方に配置されることになるところ、小型のプレートコンパクターにおいては、ベルト伝動装置を配置するためのスペースに余裕がなく、原動機等の側方に配置したベルト伝動装置が、部分的に、プレートの側縁よりも外側へ張り出してしまうようなレイアウトを採用せざるを得ない場合がある。
【０００６】
しかしながら、ベルト伝動装置の一部がプレートの側縁よりも外側へ張り出した状態のプレートコンパクタは、作業性が悪化してしまうという問題があるほか、張り出した部分が周囲の物体に衝突する蓋然性が高くなり、破損してしまう危険がある。
【０００７】
本考案は、上記のような従来技術における課題を解決しようとするものであって、ベルト伝動装置の幅寸法、乃至は、原動機の側面からの張出寸法を小さくすることができる振動締固め機用カバー付きベルト伝動装置を提供することを目的とする。
【課題を解決するための手段】
【０００８】
本考案に係る振動締固め機用カバー付きベルト伝動装置は、原動機の出力軸と、これに装着される原動機側プーリと、起振体の入力軸と、これに装着される起振体側プーリと、原動機側プーリ及び起振体側プーリの間に掛け渡されるベルトと、これらを覆う外側カバー及び内側ベースからなるベルトカバーとによって構成され、内側ベースが、原動機の側面との間に間隔を開けずに直接取り付けられ、原動機の出力軸として、先端側へ向かって直径が次第に小さくなるテーパー軸が採用され、原動機側プーリの挿通孔の内周面においても、これに対応したテーパーが形成され、出力軸の先端側に取り付けたボルトを締め付けることにより、出力軸に対して原動機側プーリをテーパー結合できるように構成されていることを特徴としている。
【０００９】
尚、起振体の入力軸についても、先端側へ向かって直径が次第に小さくなるテーパー軸が採用され、起振体側プーリの挿通孔の内周面が、これに対応したテーパーが形成され、入力軸の先端側に取り付けたボルトを締め付けることにより、入力軸に対して起振体側プーリをテーパー結合できるように構成されていることが好ましい。
【考案の効果】
【００１０】
本考案に係る振動締固め機用カバー付きベルト伝動装置は、原動機の側面からの張出寸法を、従来装置と比較して著しく小さくすることができ、小型のプレートコンパクター等において、配置スペースに余裕がない場合であっても、ベルト伝動装置の一部が、プレートの側縁よりも外側へ張り出してしまうという問題を好適に回避することができる。
【図面の簡単な説明】
【００１１】
【図１】図１は、本考案に係る振動締固め機用カバー付きベルト伝動装置１の構造を示す水平断面図である。
【図２】図２は、図１に示す出力軸３１への装着前の原動機側プーリ１１等の拡大断面図である。
【考案を実施するための形態】
【００１２】
以下、添付図面に沿って本考案の実施形態について説明する。図１は、本考案に係る振動締固め機用カバー付きベルト伝動装置（以下、単に「ベルト伝動装置」と称する。）の構造を示す水平断面図である。このベルト伝動装置１は、プレートコンパクターのプレート２の上にそれぞれ搭載された原動機３の出力軸３１と、起振体４の入力軸４１とを動力的に連結し、原動機３の回転駆動力を起振体４に伝達するものである。
【００１３】
より具体的には、このベルト伝動装置１は、前後一対のプーリ（原動機側プーリ１１、及び、起振体側プーリ１２）と、これらの間に掛け渡されたＶベルト１３と、これらを覆うベルトカバー１４とによって構成されている。これらのうち、原動機側プーリ１１は、原動機３の出力軸３１に装着され、起振体側プーリ１２は、起振体４の入力軸４１に装着されている。
【００１４】
また、ベルトカバー１４は、出力軸３１及び入力軸４１を貫通させ、原動機側プーリ１１と原動機３との間、及び、起振体側プーリ１２と起振体４との間の位置に配置される内側ベース１４ａと、原動機側プーリ１１と起振体側プーリ１２の外周側、及び、出力軸３１と入力軸４１の延長方向側の側面を覆うように配置される外側カバー１４ｂとによって構成されている。
【００１５】
従来のベルト伝動装置においては、ベルトカバーの内側ベースが、原動機から外側（側方）へ間隔（例えば２０〜３０ｍｍ程度）をおいた位置において固定されていたが、本実施形態においては、図１に示すように、内側ベース１４ａが、原動機３の側面（クランクケース等）、及び、起振体４の側面に直接（間隔を開けずに）取り付けられている。
【００１６】
また、従来のベルト伝動装置においては、原動機の出力軸及び起振体の入力軸に対するプーリの装着に際し、キー結合（出力軸の原動機側の位置に回り止めのキーを固定し、出力軸の先端側に固定したボルトとによって、プーリを挟み込んで固定する方法）が採用されていたが、本実施形態においては、図２に示すように、原動機３の出力軸３１として、先端側へ向かって直径が次第に小さくなるテーパー軸が採用されているとともに、原動機側プーリ１１の挿通孔１１ａの内周面においても、これに対応した（同角度の）テーパーが形成されており、出力軸３１の先端側に取り付けたボルト１６を締め付けることにより、出力軸３１に対して原動機側プーリ１１をテーパー結合できるように構成されている。
【００１７】
このため、原動機側プーリ１１の装着のために、出力軸３１において必要となる取付幅寸法を、キー結合によってプーリを装着する場合と比べて小さくすることができ、従って、出力軸３１の突出寸法（原動機３の側面からの突出寸法）を小さくすることができる。また、これと同様に、起振体側プーリ１２についても、起振体４の入力軸４１に対してテーパー結合できるように構成されており、入力軸４１の突出寸法を小さくすることができる。その結果、ベルトカバー１４の横幅寸法（厚さ寸法）を、従来装置よりも小さく（薄く）設定することが可能となる。
【００１８】
このように、本考案にかかるベルト伝動装置１は、ベルトカバー１４の内側ベース１４ａが、原動機３等の側面との間に間隔を開けずに、原動機３等の側面に直接取り付けられているほか、ベルトカバー１４の横幅寸法を従来装置よりも小さく設定することができるため、原動機３の側面からの張出寸法（原動機３の側面から、外側カバー１４ｂの外側面までの寸法）を、従来装置と比較して著しく小さくすることができ、小型のプレートコンパクター等において、配置スペースに余裕がない場合であっても、ベルト伝動装置の一部が、プレートの側縁よりも外側へ張り出してしまうという問題を好適に回避することができる。
【符号の説明】
【００１９】
１：ベルト伝動装置、
１１：原動機側プーリ、
１１ａ：挿通孔、
１２：起振体側プーリ、
１３：Ｖベルト、
１４：ベルトカバー、
１４ａ：内側ベース、
１４ｂ：外側カバー、
１５：カラー、
１６：ボルト、
２：プレート、
３：原動機、
３１：出力軸、
４：起振体、
４１：入力軸
【図１】
0003216134.tif 000003
【図２】
0003216134.tif 000004